(57)【要約】【課題】入浴後の浴室内の乾燥に使用する場合と浴室内に吊り下げた洗濯物を乾燥させる場合とで運転パターンを切換え使用用途に応じて最適な運転パターンで乾燥でき乾燥運転の終了を使用者に報知できる浴室乾燥機を提供することを目的としている。【解決手段】設定操作部１２より乾燥運転において入浴後の浴室内の乾燥と浴室内の洗濯物の乾燥とを切換えることにより、入浴後の浴室内の乾燥に使用する場合と浴室内に吊り下げた洗濯物を乾燥させる場合とで使用用途に応じ、最適な運転パターンで乾燥することができる浴室乾燥機を提供できる。【選択図】図１
2009089996.tif 000002
【特許請求の範囲】
【請求項１】
浴室内の空気を循環する循環ファンと前記循環ファンにより生成される循環空気を加熱する加熱手段と前記循環空気の吹出し方向を可変できるルーバと浴室内の空気を浴室外に排気する換気ファンと設定操作部および前記循環ファンと前記加熱手段と前記ルーバと前記換気ファンとを制御する制御装置を備えた浴室乾燥機であって、前記制御装置は乾燥運転において、入浴後の浴室内の乾燥と浴室内の洗濯物の乾燥とを目的としたそれぞれの運転パターンを記憶し、前記設定操作部より入浴後の浴室内の乾燥と浴室内の洗濯物の乾燥とを切換え可能としたことを特徴とする浴室乾燥機。
【請求項２】
浴室内の空気を循環する循環ファンと前記循環ファンにより生成される循環空気を加熱する加熱手段と前記循環空気の吹出し方向を可変できるルーバと浴室内の空気を浴室外に排気する換気ファンと設定操作部と浴室内の物体の位置を検出することができる物体位置検出手段および前記循環ファンと前記加熱手段と前記ルーバと前記換気ファンとを制御する制御装置を備えた浴室乾燥機であって、前記制御装置は乾燥運転において、入浴後の浴室内の乾燥と浴室内の洗濯物の乾燥とを目的としたそれぞれの運転パターンを記憶し、前記物体位置検出手段により浴室内の洗濯物の有無を判断し、入浴後の浴室内の乾燥と浴室内の洗濯物の乾燥とを自動的に切換え可能としたことを特徴とする浴室乾燥機。
【請求項３】
前記物体位置検出手段は前記ルーバに固定されたことを特徴とする請求項２記載の浴室乾燥機。
【請求項４】
入浴後の浴室内の乾燥と浴室内の洗濯物の乾燥とを目的にした前記運転パターンにおいて前期ルーバはそれぞれ異なる稼動範囲を動作することを特徴とする請求項１〜３記載の浴室乾燥機。
【請求項５】
浴室内の洗濯物の乾燥を目的にした前記運転パターンにおいて、前記物体位置検出手段により検出した洗濯物の位置により、前期ルーバの稼動範囲を可変することを特徴とする請求項２〜３記載の浴室乾燥機。
【請求項６】
報知手段を備え、乾燥運転終了時に前記報知手段により使用者に乾燥運転終了を報知することを特徴とする請求項１〜５記載の浴室乾燥機。
【請求項７】
切換え手段を備え、前記切換え手段により、乾燥運転終了時に前記報知手段により使用者に乾燥運転終了を報知するかしないかを設定可能としたことを特徴とする請求項６記載の浴室乾燥機。
【発明の詳細な説明】
【技術分野】
【０００１】
本発明は、浴室内または浴室内に吊り下げた洗濯物を乾燥させる浴室乾燥機に関する。
【背景技術】
【０００２】
従来、この種の浴室乾燥機の一例として、浴室の天井に設置し浴室を乾燥する浴室乾燥機が知られている（例えば特許文献１参照）。
【０００３】
特許文献１に示すものは消費エネルギーを小さくしながら浴室内に吊り下げた洗濯物を完全に乾燥させる浴室乾燥機の制御方法である。
【特許文献１】特開２００２−１６２１６１号公報
【発明の開示】
【発明が解決しようとする課題】
【０００４】
この種の浴室乾燥機は入浴後の浴室内の乾燥に使用する場合と浴室内に吊り下げた洗濯物を乾燥させる場合とで、使用用途が異なる場合がある。浴室内の乾燥に比較して浴室内に吊り下げた洗濯物の方が乾燥しにくいため、浴室内に吊り下げた洗濯物を乾燥させるのに十分な運転パターンで乾燥運転を行っていた。浴室内に吊り下げた洗濯物を乾燥させるのに十分な運転パターンで浴室内の乾燥を行った場合、防水処理された浴室内の壁面および床面の水滴は湿った洗濯物に比較して乾燥しやすいため、浴室内の十分な乾燥を行うことができるが、消費エネルギーが大きくなるという課題がある。
【０００５】
また、入浴後の浴室内の乾燥に使用する場合、浴室内の壁面と床面を乾燥させるためルーバは広範囲をスイングさせると効果的であるが、浴室内に吊り下げた洗濯物を乾燥させる場合は洗濯物に直接循環風が当たるようにルーバをスイングさせると効果的である。このように、入浴後の浴室内の乾燥に使用する場合と浴室内に吊り下げた洗濯物を乾燥させる場合とで最適なルーバ動作が異なり、入浴後の浴室内の乾燥に使用する場合と浴室内に吊り下げた洗濯物を乾燥させる場合とでルーバ動作を切換える必要があるが、使用用途にかかわらず同じルーバ動作をしているという課題がある。
【０００６】
また、入浴後の浴室内の乾燥に使用する場合と浴室内に吊り下げた洗濯物を乾燥させる場合とで、運転パターンを自動的に切換えた場合、乾燥運転の終了がいつになるのか使用者が把握できないという課題がある。
【０００７】
本発明は、この課題を解決するものであり入浴後の浴室内の乾燥に使用する場合と浴室内に吊り下げた洗濯物を乾燥させる場合とで運転パターンを切換え使用用途に応じて最適な運転パターンで乾燥でき、また乾燥運転の終了を使用者に報知できる浴室乾燥機を提供することを目的としている。
【課題を解決するための手段】
【０００８】
本発明の浴室乾燥機は上記目的を達成するために、設定操作部より乾燥運転において入浴後の浴室内の乾燥と浴室内の洗濯物の乾燥とを切換え可能としたものである。
【０００９】
このことにより、入浴後の浴室内の乾燥に使用する場合と浴室内に吊り下げた洗濯物を乾燥させる場合とで使用用途に応じて最適な運転パターンで乾燥することができる浴室乾燥機を提供できる。
【００１０】
また、本発明の浴室乾燥機は上記目的を達成するために、物体位置検出手段により浴室内の洗濯物の有無を判断し、入浴後の浴室内の乾燥と浴室内の洗濯物の乾燥とを自動的に切換え可能としたものである。
【００１１】
このことにより、入浴後の浴室内の乾燥に使用する場合と浴室内に吊り下げた洗濯物を乾燥させる場合とで使用用途に応じて最適な運転パターンで乾燥することができる浴室乾燥機を提供できる。
【００１２】
また、本発明の浴室乾燥機は上記目的を達成するために、物体位置検出手段をルーバに固定したものである。
【００１３】
このことにより、入浴後の浴室内の乾燥に使用する場合と浴室内に吊り下げた洗濯物を乾燥させる場合とで使用用途に応じて最適な運転パターンで乾燥することができる浴室乾燥機を提供できる。
【００１４】
また、本発明の浴室乾燥機は上記目的を達成するために、入浴後の浴室内の乾燥と浴室内の洗濯物の乾燥とを目的にした上記運転パターンにおいてルーバはそれぞれ異なる稼動範囲を動作するようにしたものである。
【００１５】
このことにより、入浴後の浴室内の乾燥に使用する場合と浴室内に吊り下げた洗濯物を乾燥させる場合とで使用用途に応じて最適な運転パターンで乾燥することができる浴室乾燥機を提供できる。
【００１６】
また、本発明の浴室乾燥機は上記目的を達成するために、浴室内の洗濯物の乾燥を目的にした前記運転パターンにおいて、物体位置検出手段により検出した洗濯物の位置により、ルーバの稼動範囲を可変するようにしたものである。
【００１７】
このことにより、入浴後の浴室内の乾燥に使用する場合と浴室内に吊り下げた洗濯物を乾燥させる場合とで使用用途に応じて最適な運転パターンで乾燥することができる浴室乾燥機を提供できる。
【００１８】
また、本発明の浴室乾燥機は上記目的を達成するために、報知手段を備え、乾燥運転終了時に前記報知手段により使用者に乾燥運転終了を報知するようにしたものである。
【００１９】
このことにより、乾燥運転の終了後を直ちに使用者に報知することができる浴室乾燥機を提供できる。
【００２０】
また、本発明の浴室乾燥機は上記目的を達成するために、切換え手段により、乾燥運転終了時に報知手段により使用者に乾燥運転終了を報知するかしないかを設定可能としたものである。
【００２１】
このことにより、乾燥運転の終了を必要に応じて使用者に報知することができる浴室乾燥機を提供できる。
【発明の効果】
【００２２】
本発明によれば、使用用途に応じて最適な運転パターンで乾燥することができエネルギー効率の良い浴室乾燥機を提供でき、また、乾燥運転の終了を使用者に報知できる浴室乾燥機を提供できる。
【発明を実施するための最良の形態】
【００２３】
本発明の請求項１記載の発明は、浴室内の空気を循環する循環ファンと循環ファンにより生成される循環空気を加熱する加熱手段と循環空気の吹出し方向を可変できるルーバと浴室内の空気を浴室外に排気する換気ファンと設定操作部および循環ファンと加熱手段とルーバと換気ファンとを制御する制御装置を備えた浴室乾燥機であって、制御装置は乾燥運転において、入浴後の浴室内の乾燥と浴室内の洗濯物の乾燥とを目的としたそれぞれの運転パターンを記憶し、設定操作部より入浴後の浴室内の乾燥と浴室内の洗濯物の乾燥とを切換え可能としたことを特徴としたものであり、浴室内の乾燥と浴室内の洗濯物の乾燥とを切換え可能としたことを特徴とした入浴後の浴室内の乾燥と浴室内の洗濯物の乾燥とのそれぞれの目的に応じた最適な乾燥運転パターンで運転することができる。
【００２４】
本発明の請求項２記載の発明は、浴室内の空気を循環する循環ファンと循環ファンにより生成される循環空気を加熱する加熱手段と循環空気の吹出し方向を可変できるルーバと浴室内の空気を浴室外に排気する換気ファンと設定操作部と浴室内の物体の位置を検出することができる物体位置検出手段および循環ファンと加熱手段とルーバと換気ファンとを制御する制御装置を備えた浴室乾燥機であって、制御装置は乾燥運転において、入浴後の浴室内の乾燥と浴室内の洗濯物の乾燥とを目的としたそれぞれの運転パターンを記憶し、物体位置検出手段により浴室内の洗濯物の有無を判断し、入浴後の浴室内の乾燥と浴室内の洗濯物の乾燥とを自動的に切換え可能としたことを特徴としたものであり、入浴後の浴室内の乾燥と浴室内の洗濯物の乾燥とのそれぞれの目的に応じた最適な乾燥運転パターンを自動で運転することができる。
【００２５】
本発明の請求項３記載の発明は、請求項２記載の発明において、物体位置検出手段がルーバに固定されたことを特徴とするものである。この手段により、物体位置検出手段の検出方向が可変できるため、検出範囲の狭い比較的安価な物体位置検出手段にて洗濯物の有無が判断できる。
【００２６】
本発明の請求項４記載の発明は、請求項１〜３記載の発明において、ルーバは入浴後の浴室内の乾燥と浴室内の洗濯物の乾燥でそれぞれ異なる稼動範囲を動作することを特徴としたものであり、入浴後の浴室内の乾燥と浴室内の洗濯物の乾燥とのそれぞれの目的に応じた乾燥運転パターンにおいて最適なルーバ制御を行うことができる。
【００２７】
本発明の請求項５記載の発明は、請求項２〜３記載の発明において、浴室内の洗濯物の乾燥を目的にした運転パターンにおいて、物体位置検出手段により検出した洗濯物の位置により、ルーバの稼動範囲を可変することを特徴としたものであり、浴室内の洗濯物の乾燥運転パターンにおいて最適なルーバ制御を行うことができる。
【００２８】
本発明の請求項６記載の発明は、請求項１〜５記載の発明において、報知手段を備え、乾燥運転終了時に報知手段により使用者に乾燥運転終了を報知することを特徴としたものであり、乾燥運転の終了後を直ちに使用者に報知することができる。
【００２９】
本発明の請求項７記載の発明は、請求項６記載の発明において、切換え手段を備え、切換え手段により乾燥運転終了時に報知手段により使用者に乾燥運転終了を報知するかしないかを設定可能としたことを特徴としたものであり、深夜の乾燥運転等、報知音が不要な場合は報知しないように設定できる。
【００３０】
以下、本発明の実施の形態について図面を参照しながら説明する。
【００３１】
（実施の形態１）
図１は本発明の実施の形態１の全体構成を示す図である。
【００３２】
まず、本実施の形態に関わる構成について説明する。
【００３３】
天井１に取り付けられたケーシング２の内部に循環ファン３とヒータなどの加熱手段４が設けられ、この循環ファン３が回転すると循環流３ａが発生し、循環流３ａの出口にはルーバ５が設けられている。
【００３４】
ルーバ５が点線示のように開放状態で循環ファン３が回転すると循環流３ａが発生し、浴室内の空気は加熱手段４で加熱される、いわゆる浴室暖房装置の機能が発揮できる構造になっている。また、浴室内の換気を行うために換気ファン６が設けられていて、この換気ファン６が駆動することで排気流６ａが構成され、浴室内の空気は屋外に排出されて換気が行われる。
【００３５】
図２は図１のルーバ５の動作を説明するための図である。
【００３６】
ルーバ５は閉止の状態から反時計方向に回動し、開度θ１は循環流３ａの吹き出し方向が最も水平方向に近くなる開度を示している。たとえば本実施の形態でのθ１は３８度である。また、開度θ２はルーバが稼動可能な最大開度を示しており本実施の形態では１１０度である。また、開度θ３は浴室内に洗濯物を吊り下げた場合に循環流３ａが洗濯物に当接し、かつ吹き出し方向が最も水平方向に近くなる開度を示している。たとえば本実施の形態でのθ１は４５度である。また、開度θ４は浴室内に洗濯物を吊り下げた場合に循環流３ａが洗濯物に当接する最大開度を示している。たとえば本実施の形態でのθ４は９０度である。
【００３７】
制御装置７は、ケーシング２内に設置され、前述の循環ファン３や加熱手段４などを制御する。
【００３８】
図３は電気系の構成を示す図である。
【００３９】
制御装置７ａは、ＣＰＵ１１に運転の発停や、タイマー運転などを設定する設定操作部１２が接続され、ＣＰＵ１１の出力には駆動回路１３、１４、１５、１６、１９を介して、それぞれ循環ファン３、加熱手段４、ルーバ５、換気ファン６、ブザーなど報知部９が接続されている。
【００４０】
前記の設定操作部１２は、使用者が操作して、換気運転や暖房運転や乾燥運転などの運転モードを選択し、運転の発停やタイマー運転を行わせるもので、スイッチやタイマー時限の表示器などから構成されるものである。
【００４１】
このような構成において、設定操作部１２で使用者が乾燥スイッチを押すことにより、制御装置７ａは循環ファン３と加熱手段４とルーバ５と換気ファン６を駆動して、浴室内の空気を加熱しながら循環して、浴室内を高温状態にするが、この制御装置７ａの詳細な動作を図１〜３を参照しながら、図４を用いて説明する。
【００４２】
図４は制御装置７ａの動作を示すフローチャートである。
【００４３】
まず、Ｓ（ステップ）１１において、設定操作部１２より乾燥運転の指示がされるとＳ１２に移行する。Ｓ１２にて設定操作部１２にて浴室内の洗濯物の乾燥が指示された場合はＳ１３に移行し、洗濯物の乾燥に特化した運転パターンにて乾燥運転を行う。また、Ｓ１２にて設定操作部１２にて浴室内の乾燥が指示された場合はＳ１１１に移行し浴室内の乾燥に特化した運転パターンにて乾燥運転を行う。
【００４４】
Ｓ１３の洗濯物の乾燥に特化した運転パターンについて説明する。まずＳ１４にてルーバ５を循環流３ａが洗濯物に当接する開度θ３〜θ４をスイング動作させ、Ｓ１５にて循環ファン３を駆動させＳ１６にて加熱手段４を加熱するここで加熱手段４は強または弱の加熱ができるものとし浴室内の洗濯物を十分に乾燥させるため強にて加熱する。そしてＳ１７で換気ファン６を駆動し、洗濯物が加熱され蒸発した湿った空気を屋外に排出する。以上Ｓ１４〜１７の状態を継続しＳ１８にて洗濯物が乾燥するために十分な時間が経過するとＳ１３の洗濯物乾燥に特化した運転パターンを終了する。次にＳ１１１の浴室内の乾燥に特化した運転パターンについて説明する。まずＳ１１２にてルーバ５を開度θ１〜θをスイング動作させる。Ｓ１１３にて循環ファン３を駆動させ循環流３ａを浴室内の壁面から床面の全域に当節させる。次にＳ１１４にて換気ファン６を駆動し、入浴後の湿った空気を屋外に排出する。以上Ｓ１１２〜１１４の状態を１時間継続する。Ｓ１１５にて１時間継続したのを判定しＳ１１６へ移行させる。Ｓ１１６では加熱手段４を加熱するここでは浴室内の壁面および床面に残った水分を蒸発させるために十分な弱にて加熱する。Ｓ１１６にて加熱手段４を加熱することにより循環流３ａは温風となり浴室内の壁面および床面に吹きかけられる。Ｓ１１５までにすでに入浴後の湿った空気は屋外へ排出されており、また、防水処理された浴室内の壁面および床面の水滴は湿った洗濯物に比較して乾燥しやすいため、Ｓ１１７にて浴室内の壁面および床面の水滴が乾燥するのに必要最低限の時間、上記運転を継続させる。本実施の形態では１時間としている。Ｓ１１７にて１時間が経過するとＳ１１８に移行し加熱手段４をＯＦＦさせる。その後、加熱手段４をＯＦＦしたまま運転を継続し高温高湿となった浴室内の空気を屋外へ排出する。Ｓ１１９にて所定の時間（本実施の形態では８時間）が経過するとＳ１１１の浴室内の乾燥に特化した運転パターンを終了する。
【００４５】
Ｓ１３の洗濯物乾燥に特化した運転パターンおよびＳ１１１の浴室内の乾燥に特化した運転パターンを終了すると、Ｓ１９に移行し運転を停止したのちＳ１１０にて報知部９を駆動し乾燥運転の終了を使用者に知らせる。
【００４６】
以上の動作により、使用用途に応じて最適な乾燥運転を行うことができるので省エネルギーで効率的な乾燥運転ができる。
【００４７】
なお、本実施の形態における洗濯物乾燥に特化した運転パターンおよび浴室内の乾燥に特化した運転パターンは一例であり、運転パターンを固定するものではない。
【００４８】
（実施の形態２）
図５は本発明の実施の形態２の全体構成を示す図である。
【００４９】
図５は実施の形態１で説明した図１に浴室内の物体位置を検出する物体位置検出部８を設けたものである。なお図１と同じ符号のものは同じ機能を有するものなので説明を省略する。
【００５０】
図６は本発明の実施の形態２における電気系の構成を示す図である。
【００５１】
図６は実施の形態１で説明した図３に浴室内の洗濯物などの物体位置を検出する物体位置検出手段１８と運転終了時の報知設定有無を切換えることができるスイッチなどの切換え手段１０を設けたものである。
【００５２】
なお図３と同じ符号のものは同じ機能を有するものなので説明を省略する。
【００５３】
図７は浴室内を横から見た図である。
【００５４】
図７においてＡ〜Ｅは前述したルーバ５の開度３８度〜１１０度を５分割にしたものであり物体位置検出部８により洗濯物がＡ〜Ｅのどの領域にあるか検出できる。図７の（ａ）および（ｂ）にみられるように浴室乾燥機の設置位置や洗濯物の位置により洗濯物がある領域が異なることがわかる。図７の（ａ）では洗濯物のある領域Ｂ〜Ｄの方向に循環流３ａを吹出し、図７の（ｂ）では洗濯物のある領域Ａ〜Ｃの方向に循環流３ａを吹出すことにより効率的に洗濯物を乾燥させることができる。
【００５５】
このような構成において、制御装置７ａの詳細な動作を図２および図５〜７を参照しながら、図８を用いて説明する。
【００５６】
図８は制御装置７ａの動作を示すフローチャートである。
【００５７】
まず、Ｓ２１において、設定操作部１２より乾燥運転の指示がされるとＳ２２に移行し、物体位置検出手段１８により物体位置検出部８の情報を読み込む。読み込んだ物体位置情報によりＳ２３にて洗濯物の有無を判別し、ありの場合はＳ２４に移行し、洗濯物の乾燥に特化した運転パターンにて乾燥運転を行う。また、Ｓ２３にて洗濯物の有無を判別し、なしの場合はＳ２１５に移行し浴室内の乾燥に特化した運転パターンにて乾燥運転を行う。
【００５８】
Ｓ２４の洗濯物の乾燥に特化した運転パターンについて説明する。
【００５９】
まずＳ２５にて物体位置検出手段１８により物体位置検出部８の情報を読み込む。Ｓ２６にて読み込んだ物体位置情報により洗濯ものが吊り下げられている位置を決定する。例えば図７（ａ）では、洗濯物は領域Ｂ〜Ｄにあり、図７（ｂ）では、洗濯物は領域Ａ〜Ｃにある。次にＳ２７に移行してルーバ５をＳ２６で決定した洗濯物の位置範囲をスイング動作させる。例えば本実施の形態の図７（ａ）のスイング範囲は５３度〜９８度であり、図７（ｂ）のスイング範囲は３８度〜８３度である。
【００６０】
次にＳ２８に移行して循環ファン３を駆動させＳ２９にて加熱手段４を加熱するここで加熱手段４は強または弱の加熱ができるものとし浴室内の洗濯物を十分に乾燥させるため強にて加熱する。そしてＳ２１０で換気ファン６を駆動し、洗濯物が加熱され蒸発した湿った空気を屋外に排出する。以上Ｓ２７〜２１０の状態を継続しＳ２１１にて洗濯物が乾燥するために十分な時間（本実施の形態では２時間としている）が経過するとＳ２４の洗濯物乾燥に特化した運転パターンを終了する。
【００６１】
Ｓ２１５の浴室内の乾燥に特化した運転パターンＳ２１６〜Ｓ２２２は実施の形態１にて説明したＳ１１２〜Ｓ１１９と同じであり説明を省略する。
【００６２】
Ｓ２４の洗濯物乾燥に特化した運転パターンおよびＳ２１５の浴室内の乾燥に特化した運転パターンを終了すると、Ｓ２１２に移行し運転を停止する。次にＳ２１３に移行し切換え手段１０を読み込み報知音設定がＯＮの場合はＳ２１４に移行し報知部９を駆動し乾燥運転の終了を使用者に知らせる。Ｓ２１３にて報知音設定がＯＦＦの場合は報知部９は駆動させず乾燥運転を終了する。
【００６３】
以上の動作により、使用用途に応じた最適な乾燥運転を自動で行うことができるので省エネルギーで効率的な乾燥運転ができる。また、乾燥運転終了時の報知音有無の設定ができるので、深夜を利用して洗濯物を乾燥させるような時に報知音により睡眠が妨害されるのを防止できる。
【００６４】
物体位置検出部８としては洗濯物の有無および位置が検出できれば良く、例えば、ＣＣＤカメラなどがある。
【００６５】
（実施の形態３）
本発明の実施の形態３の全体構成は本発明の実施の形態１の全体構成を示す図１と同じである。また、本発明の実施の形態３における電気系の構成は本発明の実施の形態２における電気系の構成を示す図６と同じである。
【００６６】
図９は図１のルーバ５を拡大した図である。ルーバ５には物体位置検出部８が取り付けられており、ルーバ５の開度方向８ａに対して物体の検知が可能な構成になっている。
【００６７】
このような構成において、制御装置７ａの詳細な動作を図１，６，７および９を参照しながら、図１０を用いて説明する。
【００６８】
図１０は制御装置７ａの動作を示すフローチャートである。
【００６９】
まず、Ｓ３１において、設定操作部１２より乾燥運転の指示がされるとＳ３２に移行し、ルーバ５を開度θ１〜θ２でスイング動作させる。本実施の形態ではθ１は３８度であり、開度θ２はルーバが稼動可能な最大開度を示しており１１０度である。ルーバ５が開度θ１〜θ間をスイング動作することにより物体位置検出部８の検知方向８ｂは浴室内の広範囲を検出可能になる。Ｓ３３にてルーバ５の開度θ１〜θ２に対応する物体位置検出部８を読み込む。読み込んだ物体位置情報によりＳ３４にて洗濯物の有無を判別し、ありの場合はＳ３５に移行し、洗濯物の乾燥に特化した運転パターンにて乾燥運転を行う。また、Ｓ３４にて洗濯物の有無を判別し、なしの場合はＳ３１６に移行し浴室内の乾燥に特化した運転パターンにて乾燥運転を行う。
【００７０】
Ｓ３５の洗濯物の乾燥に特化した運転パターンについて説明する。
【００７１】
ルーバ５は開度θ１〜θ２間のスイング動作を継続する。Ｓ３６にてルーバ５の開度θ１〜θ２に対応する物体位置検出部８を読み込む。Ｓ３７にて読み込んだ物体位置情報により洗濯ものが吊り下げられている位置を決定する。例えば図７（ａ）では、洗濯物は領域Ｂ〜Ｄにあり、図７（ｂ）では、洗濯物は領域Ａ〜Ｃにある。次にＳ３８に移行してルーバ５をＳ３７で決定した洗濯物の位置範囲をスイング動作させる。例えば本実施の形態では図７（ａ）のスイング範囲は５３度〜９８度であり、図７（ｂ）のスイング範囲は３８度〜８３度である。
【００７２】
次にＳ３９に移行して循環ファン３を駆動させＳ３１０にて加熱手段４を加熱するここで加熱手段４は強または弱の加熱ができるものとし浴室内の洗濯物を十分に乾燥させるため強にて加熱する。そしてＳ３１１で換気ファン６を駆動し、洗濯物が加熱され蒸発した湿った空気を屋外に排出する。以上Ｓ３８〜３１１の状態を継続しＳ３１２にて洗濯物が乾燥するために十分な時間（本実施の形態では２時間としている）が経過するとＳ３５の洗濯物乾燥に特化した運転パターンを終了する。
【００７３】
Ｓ３１６の浴室内の乾燥に特化した運転パターンＳ３１７〜Ｓ３２４は実施の形態１にて説明したＳ１１２〜Ｓ１１９と同じであり説明を省略する。
【００７４】
Ｓ３５の洗濯物乾燥に特化した運転パターンおよびＳ３１６の浴室内の乾燥に特化した運転パターンを終了すると、Ｓ３１３に移行し運転を停止する。次にＳ３１４に移行し報知部９を駆動し乾燥運転の終了を使用者に知らせる。
【００７５】
以上の動作により、使用用途に応じた最適な乾燥運転を自動で行うことができるので省エネルギーで効率的な乾燥運転ができる。また、物体位置検出部８はルーバ５に取り付けられ、ルーバ５の動作により検出方向を可変できることから一定方向を検知すればよく例えば赤外線センサーやサーモパイル等、比較的安価な構成で実現できる。
【産業上の利用可能性】
【００７６】
以上のように本発明の浴室乾燥機は、入浴後の浴室内の乾燥に使用する場合と浴室内に吊り下げた洗濯物を乾燥させる場合とで運転パターンを切換え使用用途に応じて最適な運転パターンで乾燥できるので、学校、病院などの公共施設やホテル、旅館など業務用の設備としての用途などにも適用できる。
【図面の簡単な説明】
【００７７】
【図１】本発明の実施の形態１における全体構成を示す図
【図２】同実施の形態１におけるルーバの動作を説明するための図
【図３】同実施の形態１における電気系の構成を示す図
【図４】同実施の形態１の動作を説明するためのフローチャート
【図５】同実施の形態２における全体構成を示す図
【図６】同実施の形態２における電気系の構成を示す図
【図７】同実施の形態２における浴室内の物体位置を説明するための図
【図８】同実施の形態２の動作を説明するためのフローチャート
【図９】同実施の形態３における物体位置検出部とルーバの動作を説明するための図
【図１０】同実施の形態３の動作を説明するためのフローチャート
【符号の説明】
【００７８】
３    循環ファン
３ａ  循環流
４    加熱手段
５    ルーバ
６    換気ファン
７    制御装置
８    物体位置検出部
９    報知部
１０  切換え手段
【図１】
2009089996.tif 000003
【図２】
2009089996.tif 000004
【図３】
2009089996.tif 000005
【図４】
2009089996.tif 000006
【図５】
2009089996.tif 000007
【図６】
2009089996.tif 000008
【図７】
2009089996.tif 000009
【図８】
2009089996.tif 000010
【図９】
2009089996.tif 000011
【図１０】
2009089996.tif 000012